【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
第１の送信方式および第２の送信方式の少なくともいずれかにより送信が可能な２つの無線端末がキャリアセンスに基づく送信を行って通信する無線通信システムにおいて、
第１の無線端末が前記第２の送信方式を用いて第１の送信を行い、
第２の無線端末が前記第１の無線端末に対し受信状況に関係する情報を通知するための送信を前記第１の送信方式を用いて行い、
前記第１の無線端末は、前記第２の無線端末からの受信状況に関係する情報に基づいて、第２の送信を行う際の前記第１の送信方式を調整することを特徴とする無線通信システム。
【請求項２】
第１の送信方式および第２の送信方式の少なくともいずれかにより送信が可能な無線基地局と無線端末とがキャリアセンスに基づく送信を行って通信する無線通信システムにおいて、
前記無線端末が前記第１の送信方式を用いて第１の送信を行い、
前記無線基地局が前記無線端末に対し受信状況に関係する情報を通知するための送信を前記第２の送信方式を用いて行い、
前記無線端末は、前記無線基地局からの受信状況に関係する情報に基づいて、第２の送信を行う際の前記第１の送信方式を調整することを特徴とする無線通信システム。
【請求項３】
第１の送信方式および第２の送信方式の少なくともいずれかにより送信が可能な無線基地局と無線端末とがキャリアセンスに基づく送信を行って通信する無線通信システムにおいて、
前記無線端末が前記第２の送信方式を用いて第１の送信を行い、
前記無線基地局が前記無線端末に対し受信状況に関係する情報を通知するための送信を前記第１の送信方式を用いて行い、
前記無線端末は、前記無線基地局からの受信状況に関係する情報に基づいて、第２の送信を行う際の前記第１の送信方式を調整することを特徴とする無線通信システム。
【請求項４】
第１の送信方式および第２の送信方式の少なくともいずれかにより送信が可能な２つの無線端末がキャリアセンスに基づく送信を行って通信する無線通信システムにおいて、
第１の無線端末は、前記第２の送信方式を用いて送信を行ったのち、第２の無線端末に対し受信状況に関係する情報を通知するための送信を前記第１の送信方式を用いて行い、
前記第２の無線端末は、前記第１の無線端末からの受信状況に関係する情報に基づいて、送信を行う際の前記第１の送信方式を調整することを特徴とする無線通信システム。
【請求項５】
前記通知を行う際に、前記第１の送信方式における最低の伝送レートあるいは最も頑健な送信方法を用いることを特徴とする請求項１，３，４のいずれかに記載の無線通信システム。
【請求項６】
前記通知を行う際に、前記第２の送信方式における最低の伝送レートあるいは最も頑健な送信方法を用いることを特徴とする請求項２に記載の無線通信システム。
【請求項７】
前記受信状況に関係する情報を通知するフレームは、前記第１の無線端末が前記第２の送信方式で送信するフレームの応答フレームであることを特徴とする請求項１記載の無線通信システム。
【請求項８】
前記受信状況に関係する情報を通知するフレームは、前記無線端末が前記第１の送信方式で送信するフレームの応答フレームであることを特徴とする請求項２記載の無線通信システム。
【請求項９】
前記受信状況に関係する情報を通知するフレームは、前記無線端末が前記第２の送信方式で送信するフレームの応答フレームであることを特徴とする請求項３記載の無線通信システム。
【請求項１０】
前記第１の送信方式で送信する受信状況に関係する情報は、前記第１の無線端末が以前に前記第２の無線端末から受信したフレームに基づいて生成されたものであることを特徴とする請求項４記載の無線通信システム。
【請求項１１】
前記第１の送信方式は第１の受信方式で受信復号可能であり、前記第２の送信方式は前記第１の受信方式及び第２の受信方式で受信復号可能であることを特徴とする請求項１乃至４のいずれかに記載の無線通信システム。
【請求項１２】
前記第１の受信方式を備えず前記第２の受信方式を備える第３の無線端末を具備することを特徴とする請求項１乃至４のいずれかに記載の無線通信システム。
【請求項１３】
前記第１の送信方式に従い、複数の送信アンテナより信号を送信することを特徴とする請求項１乃至４のいずれかに記載の無線通信システム。
【請求項１４】
前記第１の受信方式に従い、複数の受信アンテナより信号を受信することを特徴とする請求項１１記載の無線通信システム。
【請求項１５】
前記第１の送信方式で少なくとも最初のフレームの送信を行う際に、該フレームの送信先無線端末が受信処理可能な最低の伝送レートあるいは最も頑健な送信方法を用いることを特徴とする請求項１乃至４のいずれかに記載の無線通信システム。
【請求項１６】
前記受信状況に関係する情報は、複数の受信フレームの受信状況を統計的に処理した情報を含むことを特徴とする請求項１乃至４のいずれかに記載の無線通信システム。
【請求項１７】
連続的なフレーム交換において複数の前記受信状況に関係する情報を通知することを特徴とする請求項１乃至４のいずれかに記載の無線通信システム。
【請求項１８】
前記受信状況に関係する情報を伝送路特性とすることを特徴とする請求項１乃至４のいずれかに記載の無線通信システム。
【請求項１９】
前記受信状況に関係する情報を空間相関とすることを特徴とする請求項１乃至４のいずれかに記載の無線通信システム。
【請求項２０】
前記第１の無線端末は、前記第１の送信で前記第２の無線端末が前記第１の送信方式を用いて送信することを許可する送信を行うことを特徴とする請求項１記載の無線通信システム。
【請求項２１】
前記無線端末は、前記第１の送信で前記基地局が前記第１の送信方式を用いて送信することを許可する送信を行うことを特徴とする請求項３記載の無線通信システム。
【請求項２２】
前記第１の無線端末は、前記受信状況に関係する情報を通知するための送信で前記第２の無線端末の送信を許可することを特徴とする請求項４記載の無線通信システム。
【請求項２３】
前記第１の無線端末は、受信状況に関係する情報を含む無線リンク情報を前記第２の無線端末から受信した時点からの経過時間と閾値とを比較し、該経過時間が該閾値を上回るならば、前記第１の送信を行うことを特徴とする請求項１記載の無線通信システム。
【請求項２４】
前記無線端末は、受信状況に関係する情報を含む無線リンク情報を前記無線基地局から受信した時点からの経過時間と閾値とを比較し、該経過時間が該閾値を上回るならば、前記第１の送信を行うことを特徴とする請求項２記載の無線通信システム。
【請求項２５】
前記無線端末は、受信状況に関係する情報を含む無線リンク情報を前記無線端末から受信した時点からの経過時間と閾値とを比較し、該経過時間が該閾値を上回るならば、前記第１の送信を行うことを特徴とする請求項３記載の無線通信システム。
【請求項２６】
受信状況に関係する情報を含む無線リンク情報を前記第２の無線端末から受信した時点からの経過時間と閾値とを比較し、該経過時間が該閾値を下回るならば、該受信状況に関係する情報を送信することを特徴とする請求項１０記載の無線通信システム。
【請求項２７】
第１の送信方式および第２の送信方式による送信ならびに第１の受信方式による受信が可能な無線端末であって、
前記第２の送信方式を用いて第１の送信を行い、
受信状況に関係する情報を通知する前記第１の送信方式を用いた送信を前記第１の受信方式を用いて受信し、
前記受信状況に関係する情報に基づいて、第２の送信を行う際の前記第１の送信方式を調整することを特徴とする無線端末。
【請求項２８】
第１の送信方式による送信および第１の受信方式による受信が可能な無線端末であって、
前記第２の送信方式を用いて送信される、前記第１の送信方式の調整に用いられる受信状況に関係する情報の要求を前記第１の受信方式を用いて受信し、
前記要求に応じて、受信状況に関係する情報を通知するための送信を前記第１の送信方式を用いて行うことを特徴とする無線通信システム。
【請求項２９】
第１の送信方式および第２の送信方式により送信が可能な無線端末であって、
前記第２の送信方式を用いて第１の送信を行ったのち、
前記第１の送信方式の調整に用いられる、受信状況に関係する情報を通知するための第２の送信を前記第１の送信方式を用いて行うことを特徴とする無線端末。
【請求項３０】
第１の送信方式による送信および第１の受信方式による受信が可能な無線端末であって、
第２の送信方式を用いた送信を前記第１の受信方式を用いて受信し、
受信状況に関係する情報を通知する前記第１の送信方式を用いた送信を前記第１の受信方式を用いて受信し、
前記受信状況に関係する情報に基づいて前記第１の送信方式の調整を行ったのち、該第１の送信方式を用いて送信を行うことを特徴とする無線端末。